(57)【要約】【課題】  本発明は、回収された使用済みのオムツの吸水性ポリマーを容易に取り除くと共に、短期間で再生することのできるオムツを提供することにある。【解決手段】  オムツカバー５の身体装着面Ｎに取り付けるものであり、使用者の肌に触れる側に繊維シート３ａを、オムツカバー５と接触する側に透湿防水シート３ｂを備え、繊維シート３ａと透湿防水シート３ｂの間に吸水性ポリマー２ｂを挟む再利用可能なオムツであって、吸水性ポリマー２ｂは、過硫酸塩水溶液で水溶する粒状または粉状をなすと共に袋部２ａに封入してあり、袋部２ａは、水溶性を有する素材で形成してあることを特徴とする。【選択図】      図１（ａ）（ｂ）
2010240154.tif 000002
【特許請求の範囲】
【請求項１】
オムツカバーの身体装着面に取り付けるものであり、使用者の肌に触れる側に繊維シートを、オムツカバーと接触する側に透湿防水シートを備え、繊維シートと透湿防水シートの間に吸水性ポリマーを挟む再利用可能なオムツであって、
吸水性ポリマーは、過硫酸塩水溶液で水溶する粒状または粉状をなすと共に袋部に封入してあり、袋部は、水溶性を有する素材で形成してあることを特徴とするオムツ。
【請求項２】
袋部は、水溶性ポリビニルアルコールフィルムで形成してあることを特徴とする請求項１記載のオムツ。
【発明の詳細な説明】
【技術分野】
【０００１】
本発明は、繊維シートを繰り返し使用することのできるオムツに関するものである。
【背景技術】
【０００２】
この種のオムツとして代表的なものである介護用オムツは、一般に、交換作業の介護者負担の軽減や作業の効率化を優先して紙オムツが使用されるものであった。ところが、オムツ着用時の肌触りやムレなどの装着感、さらには、近年の環境保全志向を反映して布オムツが見直されている。その１つとして、特開２００１−３１４４４３号公報に開示されるもののように、オムツカバーの身体装着面側に吸水性ポリマーを繊維シートのパイル織した箇所などに絡ませて保持する繊維シートを敷いて使用するものなどがある。
【先行技術文献】
【特許文献】
【０００３】
特開２００１−３１４４４３号公報
【発明の概要】
【発明が解決しようとする課題】
【０００４】
布製のオムツに吸水性ポリマーを組み合わせたものは、紙製のオムツと比較して使用後はそのまま捨てられずに再度利用されることから、資源リサイクルや環境保全の観点から好ましいものである。ところが布製のオムツは、再生して繰り返し使用するものであるから、再生する場合にオムツに残留した吸水性ポリマーを取り除く必要があった。しかしながら、洗浄のみでは吸水性ポリマーを取り除くことは難しく、また、オムツから離脱した吸水性ポリマーが洗濯槽に滞留して故障を招く懸念もあり、回収作業を迅速且つ容易に行えて再生期間の短縮も図れるオムツが求められている。
【０００５】
本発明は以上に述べたような実情に鑑み、回収された使用済みのオムツの吸水性ポリマーを容易に取り除くと共に、短期間で再生することのできるオムツを提供することにある。
【課題を解決するための手段】
【０００６】
本発明の請求項１記載の発明は、オムツカバーの身体装着面に取り付けるものであり、使用者の肌に触れる側に繊維シートを、オムツカバーと接触する側に透湿防水シートを備え、繊維シートと透湿防水シートの間に吸水性ポリマーを挟む再利用可能なオムツであって、吸水性ポリマーは、過硫酸塩水溶液で水溶する粒状または粉状をなすと共に袋部に封入してあり、袋部は、水溶性を有する素材で形成してあることを特徴とする。
【０００７】
本発明の請求項２記載の発明では、袋部は、水溶性ポリビニルアルコールフィルムで形成してあることを特徴とする。
【発明の効果】
【０００８】
本発明のうち請求項１記載の発明によれば、使用済みのオムツを過硫酸塩水溶液と一緒に洗濯槽に投入したとき、吸水性ポリマーを封入した袋部が水溶性を有する素材で形成してあるため、洗濯槽の水で袋部が溶け込むと共に、吸水性ポリマーについても、洗濯槽の水に混合される過硫酸塩水溶液によって分解・水溶して、中性〜アルカリ性を呈する環境を損ねない硫酸ナトリウムや硫酸カリウムと、同じく、環境を汚染せずに浄化剤などに使用される水溶性ポリアクリル酸分解生成物となることから、清浄な状態でオムツのみを回収できる状態となり作業が効率的且つ容易となる。
【０００９】
本発明のうち請求項２記載の発明によれば、袋部が水溶性ポリビニルアルコールフィルムで形成してあることから、袋部が一層速やかに洗濯槽に溶け込み、回収効率が飛躍的に向上する。
【図面の簡単な説明】
【００１０】
【図１（ａ）（ｂ）】（ａ）は、本実施によるオムツの一部を切欠して示す平面図であり、（ｂ）は、（ａ）の縦断面図である。
【図２（ａ）（ｂ）】（ａ）は、繊維シートの拡大縦断面図であり、（ｂ）は、本実施によるオムツにおける繊維シートの一部を拡大して使用状態を示す縦断面図である。
【図３（ａ）（ｂ）】（ａ）は、本実施によるオムツをオムツカバーに装着した状態の全体を示す斜視図であり、（ｂ）は、オムツカバーを展開して示す平面図である。
【発明を実施するための形態】
【００１１】
以下、本発明のオムツの実施形態を図面に基づいて説明する。
図１（ａ）は、本実施によるオムツの一部を切欠して示す平面図であり、（ｂ）は、（ａ）の縦断面図であり、図２（ａ）は、繊維シートの一部を拡大して示す縦断面図であり、図２（ｂ）の上図および下図は、本実施によるオムツの使用状態を示す簡略化した縦断面図であり、図３（ａ）は、本実施によるオムツの全体を示す斜視図であり、（ｂ）は、オムツカバーを展開して示す平面図である。
【００１２】
本実施によるオムツ１は、図１（ａ）および図３（ａ）（ｂ）のように、使用者の腰部および臀部を覆うオムツカバー５の身体装着面Ｎに敷いて使用するものである。
ここで、本実施によるオムツカバー５は、主に使用者の股間部周りを覆う前身頃５ａと、主に臀部周りを覆う後身頃５ｂとを互いの両側部に設けた面ファスナー１０によって、着脱自在に取り付け、又は取り外しできるものを使用している。
尚、符号９は、面ファスナーであり、繊維シート３ａと透湿防水シート３ｂの対向位置に設けられており、面ファスナー９同士で貼り付けることで、オムツ１の収容部Ｒに吸水剤２を入れた後に抜け出さなくなり、また、外せば吸水剤２を簡単に取り出すことができる。
【００１３】
次に、本実施によるオムツ１は、図１（ａ）（ｂ）および図３（ａ）（ｂ）に示すように、オムツカバー５の身体装着面Ｎに重なるように取り付けてある。具体的には、オムツカバー５の身体装着面Ｎとほぼ同一形状をなす横長ほぼ矩形状をなしており、さらに、透湿防水シート３ｂの両側縁部を折り返して繊維シート３ａの上面に被せるようにしてヒレ状をなす尿漏れ防止用のサイドギャザー８を形成している。また、サイドギャザー８には中にゴムが沿わせてあることで使用者の身体の動きに対応して伸縮自在である。
【００１４】
繊維シート３ａは、図１（ａ）に示すように、平面視してほぼ長方形状をなすものであり、また、図２（ａ）に示すように、極めて細いポリエステル繊維を束ねた糸４を本実施のものでは三層に重ねるように織り込んでシート状に形成してある。具体的には「商品名：パルライン、製造・販売元：戸出物産株式会社」を適用しており、この繊維シート３ａは、吸水性に優れているとともに表面の肌触りがよく、例えばオムツ１のように、装着したときに尿や汗などで中が蒸れる状況で使用する製品に適している。
透湿防水シート３ｂは、シート全体に数μｍｍ径の通気孔が無数に設けてあるもので、これにより、使用時にオムツ１内の湿気が外に放出されるが、尿は漏らさない構造となっている。
また本実施によるオムツ１は、図１（ａ）と図３（ａ）（ｂ）に示すように、繊維シート３ａと透湿防水シート３ｂの間の幅方向に間隔をあけた二箇所に、オムツ１をオムツカバー５に装着したときを基準とする前身頃側から後身頃側に渡ってつなぐ、つなぎ部６が設けてある。これにより、繊維シート３ａと透湿防水シート３ｂの間に、つなぎ部６を挟んで幅方向に区画される。そして、つなぎ部６で区画された二つの収容部Ｒには、後述するが帯状をなす吸水剤２を収容し、さらに、オムツ１の開放口の近傍に設けてある面ファスナー９同士を貼り合わせることにより、吸水剤２の抜け出しを防いでいる。
【００１５】
吸水剤２は、粒状の吸水性ポリマー２ｂを封入した複数の袋部２ａを連結部２ｃで各々連結して一列に連ねて帯状に形成したものである。そして、袋部２ａは、水溶性ポリビニルアルコールフィルムで袋状に形成されており、使用中に尿や汗により水溶したり、あるいは、使用済みのオムツ１を洗濯槽に投入したときに次第に水で溶け出すものである。そして、使用後に尿を吸って膨張した吸水性ポリマー２ｂは、過硫酸塩の粉末を水溶させた過硫酸塩水溶液を溶剤として洗濯槽に投入され、さらに、反応して中和され、硫酸ナトリウムや硫酸カリウム、および、水溶性ポリアクリル酸などの分解生成物となる。これらの分解生成物は、中性〜アルカリ性のものであるため、洗濯槽から流れ出しても周辺環境を汚染することはない（特許第３９２０１３９号公報および特開平６−３１３００８号公報参照）。
【００１６】
以上、説明した繊維シート３ａと透湿防水シート３ｂと吸水剤２とを組み合わせて構成する本実施によるオムツ１は、繊維シート３ａと透湿防水シート３ｂの間をつなぐつなぎ部６により区画された２つの収容部Ｒに吸水剤２をそれぞれ入れることで、図２（ａ）（ｂ）のように、吸水剤２が各収容部Ｒの範囲内で拘束されるため、吸水剤２がオムツ１にほぼ均等に配置される。これにより、使用者の寝返りなどでオムツ１に内外から変形力が加わっても、吸水性ポリマー２ｂを封入した袋部２ａは、繊維シート３ａと透湿防水シート３ｂとの間に形成された収容部Ｒの範囲内で移動する。このことから、使用者がオムツ１およびオムツカバー５を装着している間は、オムツ１のほぼ全体に吸水性ポリマー２ｂが均等に配置され、結果、使用時の尿の吸収範囲が確保される。
【００１７】
次に、本実施によるオムツ１を使用するとき、使用済みのオムツ１を回収して再生するときの各手順の一例について、順を追って説明する。
まず第１の手順として、オムツカバー５の前身頃５ａと後身頃５ｂを展開し、オムツ１の二つの収納部Ｒに吸水剤２を入れる。
第２の手順として、前述した第１の手順によりオムツ１を敷いたオムツカバー５を使用者に装着する。
第３の手順として、使用後に回収したオムツ１を洗濯槽に投入し、さらに、槽内に過硫酸塩水溶液の溶剤を投入する。このときに槽内では袋部２ａと吸水性ポリマー２ｂが水溶してオムツ１のみが残り、さらに、脱水などの工程を経て洗浄済みとなったオムツ１を回収することで、本実施によるオムツ１の洗浄工程が完了する。
第４の手順として、前述した第３の手順で洗浄済みのオムツ１の収容部Ｒに新規の吸水剤２を入れることでオムツ１を再生する。
以上の手順で再生したオムツ１をオムツカバー５の身体装着面Ｎに敷くことで、本実施によるオムツ１を何度も反復して利用できるようになる。
【００１８】
本発明のオムツ１は、つなぎ部６を繊維シート３ａと透湿防水シート３ｂの間の２以上の箇所をつないで幅方向に区画し、それに対応して形成された収容部Ｒに吸水剤２を封入することもできる。また、過硫酸塩水溶液を入れた溶剤については、樹脂容器などに収容されており、オムツ１や吸水剤２と一緒に梱包して提供されるものや、購入者側で用意するものでもよく、また、製品の提供形態（業務用途、個人用途など）によって対応する様々な形で提供される。
【符号の説明】
【００１９】
１  オムツ
２ａ  袋部
２ｂ  吸水性ポリマー
３ａ  繊維シート
３ｂ  透湿防水シート
５  オムツカバー
５ａ  前身頃
５ｂ  後身頃
Ｎ  身体装着面
【図１（ａ）（ｂ）】
2010240154.tif 000003
【図２（ａ）（ｂ）】
2010240154.tif 000004
【図３（ａ）（ｂ）】
2010240154.tif 000005